(57)【要約】【課題】  アンカーの位置を調整可能な支承取付構造と、この支承取付構造によって橋桁又は支持部材に支承を取り付ける支承取付方法を得る。【解決手段】  上沓２２（又は下沓）には、偏心孔ピース３０と中心孔ピース３２のいずれか一方が回転可能に収容される収容孔２８が形成される。中心孔ピース３２は、その中心に、アンカーが貫通するアンカー貫通孔３４が形成され、偏心孔ピース３０は、アンカー貫通孔３４が中心からずれた位置に形成されている。偏心孔ピース３０を回転させてアンカー貫通孔３４の位置を移動させ、アンカーの位置を調整できる。【選択図】        図１
2006063581.tif 000002
【特許請求の範囲】
【請求項１】
支持部材に設置されて橋桁を支持する支承を、支持部材又は橋桁に取り付けるための支承取付構造であって、
支承に設けられ支持部材又は支承に接触配置される取付プレートと、
支承を支持部材又は橋桁に取り付けるためのアンカーが貫通する貫通孔が中心から偏心した位置に形成された偏心孔ピースと、
前記取付プレートに形成され、前記偏心孔ピースを回転可能に収容する収容孔と、
を有することを特徴とする支承取付構造。
【請求項２】
前記アンカーが貫通する貫通孔が中心に形成された中心孔ピース、
を備え、
前記収容孔が前記取付プレートに複数形成されると共に、収容孔のそれぞれが前記偏心孔ピースと前記中心孔ピースの双方を収容可能とされていることを特徴とする請求項１に記載の支承取付構造。
【請求項３】
前記偏心孔ピースが円柱状に形成されていることを特徴とする請求項１又は請求項２に記載の支承取付構造。
【請求項４】
前記偏心孔ピースと前記中心孔ピースとがいずれも、同一径及び同一高さの円柱状とされていることを特徴とする請求項３に記載の支承取付構造。
【請求項５】
橋桁に支承を接合して取り付ける支承取付方法であって、
請求項１〜請求項４のいずれか１項に記載の支承取付構造を適用し、支承を橋桁に固定するためのアンカーが橋桁内の配筋と干渉しない位置となるように、前記偏心孔ピースを前記収容孔内で回転させて貫通孔の位置を調整した後、アンカーを貫通孔に貫通させて支承を橋桁に接合することを特徴とする支承取付方法。
【請求項６】
支持部材に支承を接合して取り付ける支承取付方法であって、
請求項１〜請求項４のいずれか１項に記載の支承取付構造を適用し、前記偏心孔ピースを前記収容孔内で回転させて貫通孔の位置を調整し、アンカーを貫通孔に貫通させて、アンカーによって支承を支持部材に接合することを特徴とする支承取付方法。
【発明の詳細な説明】
【技術分野】
【０００１】
本発明は、支承取付構造及び支承取付方法に関する。
【背景技術】
【０００２】
橋脚や橋台等の支持部材（下部工）上では、支承を介して橋桁を支持することが広く行われている。一般に、支承は、アンカーによって支持部材や橋桁に固定される（たとえば特許文献１参照）。
【０００３】
ところで、支承は、たとえば耐震補強等の理由により、既設の支承にさらに追加して、あらたに設置されることもある。ところが、支承を追加設置する場合に、この支承を固定するためのアンカーが、たとえば橋桁内に既に設けられている配筋と干渉して、支承を所望の位置に取り付けできないことがある。
【０００４】
また、新設の橋梁において、支持部材に支承を取り付ける場合にも、アンカーの位置を僅かに調整する（移動させる）ことが好ましいことがある。
【特許文献１】特開平１１−１３０２０号公報
【発明の開示】
【発明が解決しようとする課題】
【０００５】
本発明は上記事実を考慮し、アンカーの位置を調整可能な支承取付構造と、この支承取付構造によって橋桁又は支持部材に支承を取り付ける支承取付方法を得ることを課題とする。
【課題を解決するための手段】
【０００６】
請求項１に記載の発明では、支持部材に設置されて橋桁を支持する支承を、支持部材又は橋桁に取り付けるための支承取付構造であって、支承に設けられ支持部材又は支承に接触配置される取付プレートと、支承を支持部材又は橋桁に取り付けるためのアンカーが貫通する貫通孔が中心から偏心した位置に形成された偏心孔ピースと、前記取付プレートに形成され、前記偏心孔ピースを回転可能に収容する収容孔と、を有することを特徴とする。
【０００７】
この支承取付構造では、取付プレートが支持部材又は支承に接触配置される。取付プレートには収容孔が形成されており、偏心孔ピースが回転可能に収容されている。偏心孔ピースには、アンカーが貫通する貫通孔が中心から偏心した位置に形成されており、偏心孔ピースを回転させることで、貫通孔の位置を調整することができる。このため、貫通孔に貫通されるアンカーの位置も調整できることになる。
【０００８】
橋桁に支承を接合して取り付ける場合（たとえば既設されている支承に加えて、あらたに支承を追加する場合）には、たとえば請求項５に記載のように、アンカーが橋桁内の配筋と干渉しない位置となるように、偏心孔ピースを収容孔内で回転させて貫通孔の位置を調整した後、アンカーを貫通孔に貫通させて支承を橋桁に接合すればよい。
【０００９】
また、支持部材に支承を接合して取り付ける場合（たとえば新設の橋梁用に支承を設置する場合）においても、たとえば請求項６に記載のように、偏心孔ピースを収容孔内で回転させて貫通孔の位置を調整し、アンカーを貫通孔に貫通させて、支承を支持部材に接合すればよい。
【００１０】
請求項２に記載の発明では、請求項１に記載の発明において、前記アンカーが貫通する貫通孔が中心に形成された中心孔ピース、を備え、前記収容孔が前記取付プレートに複数形成されると共に、収容孔のそれぞれが前記偏心孔ピースと前記中心孔ピースの双方を収容可能とされていることを特徴とする。
【００１１】
取付プレートに複数形成された収容孔のそれぞれは、偏心孔ピースと中心孔ピースの双方を収容可能とされているので、少なくとも１つの収容孔には偏心孔ピースを収容すれば、この偏心孔ピースの貫通孔を貫通するアンカーの位置を調整可能となる。
【００１２】
また、偏心孔ピースと中心孔ピースを区別して収容孔に収容させる必要がなくなるので、施工が容易になる。
【００１３】
請求項３に記載の発明では、請求項１又は請求項２に記載の発明において、前記偏心孔ピースが円柱状に形成されていることを特徴とする。
【００１４】
このように円柱状とするだけで、偏心孔ピースを収容孔内で回転可能な構成とすることが可能になる。さらに、請求項４に記載のように、前記偏心孔ピースと前記中心孔ピースとがいずれも、同一径及び同一高さの円柱状とされていると、取付プレートの収容孔としても単一の形状で、偏心孔ピースと中心孔ピースとを収容可能となる。
【発明の効果】
【００１５】
本発明は上記構成としたので、アンカーの位置を調整可能となる。
【発明を実施するための最良の形態】
【００１６】
図１には、本発明の第１実施形態の支承取付構造１０によって、橋脚や橋台等の下部工１４と橋桁１６との間に支承１８を取り付けた状態が示されている。なお、支承１８は、いわゆる固定支承とされていてもよいし、可動支承であってもよい。
【００１７】
以下ではまず、図１に示すように、既設の支承１２に対し、さらに支承１８を追加する場合について説明する。
【００１８】
支承１８は、上下方向中間部の支承本体２０と、この上部に固定された上沓２２、及び下部に固定された下沓２４と、で構成されている。支承本体２０は、固定支承の場合には上沓２２と下沓２４とを一体的に連結し、これらが不用意に水平方向にずれないように固定している。これに対し、可動支承の場合には、ゴム等の弾性変形可能な材料を少なくとも含んで構成されており、支承本体２０の変形によって上沓２２と下沓２４とが相対移動可能となっている。
【００１９】
上沓２２及び下沓２４はいすれも、支承本体２０よりも側方に張り出すフランジ部２６を有している。フランジ部２６には、図２及び図３に詳細に示すように、偏心孔ピース３０と中心孔ピース３２のいずれか一方が回転可能に収容される収容孔２８が、１又は複数形成されている。なお、図２では、上沓２２に８つの収容孔２８が形成された例を示している。
【００２０】
中心孔ピース３２は、図４（Ｂ）に示すように、収容孔２８内に収容可能な内径と、上沓２２及び下沓２４と同一の高さと、を有する円柱状に形成されており、その中心に、アンカーが貫通するアンカー貫通孔３４が形成されている。
【００２１】
これに対し、偏心孔ピース３０は、図４（Ａ）に示すように、中心孔ピースを同一の径及び高さを有する円柱状に形成されているが、アンカー貫通孔３４が中心からずれた位置、すなわち偏心した位置に形成されている点が、中心孔ピース３２と異なっている。
【００２２】
したがって、収容孔２８内で中心孔ピース３２を回転させてもアンカー貫通孔３４の位置は移動しないが、偏心孔ピース３０を回転させた場合にはアンカー貫通孔３４の位置が、所定の円周に沿って移動する。
【００２３】
なお、本実施形態では、図２から分かるように、８つの収容孔２８のうち、１つの収容孔２８にのみ中心孔ピース３２を収容し、他の収容孔２８には偏心孔ピース３０を収容している。
【００２４】
このような構成とされた本実施形態の支承取付構造１０によって、支承１８をさらに追加設置するには、支承１８を下部工１４上に固定すると共に、支承１８上に橋桁１６を固定（接合）する。支承１８と橋桁１６との固定は、アンカー貫通孔３４にアンカー３６を貫通させ、座金３８をアンカー３６に装着させた後、ナット４０等の締結部材を締結して行う。
【００２５】
ここで、一般に橋桁１６の内部には、たとえば配筋４２等の内部部材が配設されていることが多い。したがって、従来のように、たとえば上沓２２に貫通孔が直接形成されているとアンカーの位置を調整することができないので、図３（Ａ）に二点鎖線で示すように、アンカー３６Ａと配筋４２とが干渉してしまうことがある。この干渉を避けるために、たとえば上沓２２の貫通孔を拡げただけでアンカー３６を設置すると、すべてのアンカー３６に均等にせん断力を作用させることができなくなる。
【００２６】
これに対し、本実施形態の支承取付方法では、上沓２２に収容孔２８を形成し、この収容孔２８の一部に偏心孔ピース３０を収容させているので、偏心孔ピース３０を収容孔２８内で回転させることで、アンカー貫通孔３４の位置を移動させることができる。したがって、アンカー３６が配筋４２等と干渉しない位置となるようにアンカー貫通孔３４の位置を適切に調整すれば、これらの干渉を避けて、支承１８と橋桁１６とを接合することができる。すべてのアンカー３６を鉛直方向に配置できるので、均等にせん断力を作用させることも可能となる。
【００２７】
このように、本実施形態では、上沓２２（又は下沓２４）に形成した収容孔２８内で偏心孔ピース３０を回転させることでアンカー貫通孔３４の位置を調整できるようにしたことで、アンカー３６の位置を所望の位置へと調整できる。したがって、上記では支承１８と橋桁１６とを接合する場合を採り上げ、上沓２２の収容孔２８内で偏心孔ピース３０を回転させる例を挙げたが、支承１８を下部工１４に取り付ける（新設する）場合にも、これと同様の支承取付方法を適用することができる。
【００２８】
すなわち、下部工１４においても、たとえば設計上の都合等によって、アンカーの位置を変更して支承１８を下部工１４に取り付けることが好ましい場合がある。このような場合には、下沓２４の収容孔２８内で偏心孔ピース３０を回転させてアンカー貫通孔３４の位置を移動させ、アンカー３６の位置を調整してもよい。
【００２９】
上記では、上沓２２又は下沓２４において、複数の収容孔２８に偏心孔ピース３０と中心孔ピース３２とがぞれぞれ収容された例を挙げたが、すべての収容孔２８に偏心孔ピースを収容してもよいし、１つの収容孔２８にのみ偏心孔ピース３０を収容し、他のすべての収容孔２８には中心孔ピース３２を収容してもよい。要するに、少なくとも１つの収容孔２８に偏心孔ピース３０を収容していれば、この偏心孔ピース３０のアンカー貫通孔３４を貫通するアンカー３６の位置を調整できる。
【００３０】
また、偏心孔ピース３０としては、上記では円柱状とし、収容孔２８としてもこれに対応した形状のもの挙げたが、形状はこれに限定されない。たとえば、偏心孔ピースとして底面が正多角形の角柱状に形成し、収容孔２８としてもこれに対応して偏心孔ピースを収容可能な正多角形の筒状としてもよい。この形状では、底面を正ｎ角形とすると、（３６０度／ｎ）の角度で偏心孔ピースを回転させることができる。これに対し、図４（Ａ）及び（Ｂ）に示すように円柱状とすると、簡単な形状で偏心孔ピースを回転可能にでき、しかも回転角度に制限が無くなるので、好ましい。
【００３１】
また、中心孔ピース３２を収容する収容孔２８の位置があらかじめ決まっている場合には、中心孔ピース３２を偏心孔ピース３０とを異なる形状としてもよい。ただし、中心孔ピース３２を収容する収容孔２８の位置があらかじめ決まっていない場合を考慮し、中心孔ピース３２と偏心孔ピース３０との外形を同一とする（必然的に、収容孔２８としてもすべて同一の形状となる）と、中心孔ピース３２と偏心孔ピース３０とを区別することなく、施工現場等でそれぞれの配置を決定でき、施工が容易になるので好ましい。
【００３２】
本発明において、支承１２を橋桁１６や下部工１４に接合するためのアンカーとしては、アンカーボルトやアンカーバーを挙げることができる。一般に、支承１２を橋桁１６に接合するためにはアンカーバーが用いられ、下部工１４に接合するためにはアンカーボルトが用いられることが多いが、これに限定されない。
【図面の簡単な説明】
【００３３】
【図１】本発明の第１実施形態の支承取付構造によって橋桁に取り付けられた支承を示す一部破断正面図である。
【図２】本発明の第１実施形態の支承取付構造が適用された上沓を下方から見た状態で示す説明図である。
【図３】本発明の第１実施形態の支承取付構造を示す拡大断面図であり、（Ａ）は偏心孔ピースの近傍、（Ｂ）は中心孔ピースの近傍である。
【図４】（Ａ）は偏心孔ピース、（Ｂ）は中心孔ピースをそれぞれ示す斜視図である。
【符号の説明】
【００３４】
１０  支承取付構造
１２  支承
１４  下部工（支持部材）
１６  橋桁
１８  支承
２０  支承本体
２２  上沓（取付プレート）
２４  下沓（取付プレート）
２６  フランジ部
２８  収容孔
３０  偏心孔ピース
３２  中心孔ピース
３４  アンカー貫通孔
３６  アンカー
３８  座金
４０  ナット
４２  配筋
【図１】
2006063581.tif 000003
【図２】
2006063581.tif 000004
【図３】
2006063581.tif 000005
【図４】
2006063581.tif 000006